(57)【特許請求の範囲】
【請求項１】
複数の柱及び隣接する柱の上端部間を連結する上梁を含んで構成された枠体を有し、複数組み合わされることでユニット式建物を構築する建物ユニットであって、
前記上梁と略平行に延びるとともに、隣接する柱において前記上梁よりも下方且つ柱の下端部より上方となる位置に連結されてなる連結材と、
上端部が前記上梁に取り付けられるとともに下端部が前記連結材に取り付けられてなる壁材と、
前記連結材の下方に突出するように該連結材に取り付けられ、前記枠体の内側と外側とを仕切る仕切材と、
を備えていることを特徴とする建物ユニット。
【請求項２】
隣接する柱の下端部間を連結する下梁が設けられていることを特徴とする請求項１に記載の建物ユニット。
【請求項３】
前記下梁は、前記建物ユニットが設置される場合に地中に埋設される埋設部であることを特徴とする請求項２に記載の建物ユニット。
【請求項４】
前記仕切材は、上下方向へ移動可能に前記連結材に取り付けられていることを特徴とする請求項１に記載の建物ユニット。
【請求項５】
前記仕切材は、上方位置で仮止めされていることを特徴とする請求項４に記載の建物ユニット。
【請求項６】
前記仕切材は、断熱層を有することを特徴とする請求項１、４又は５に記載の建物ユニット。
【請求項７】
前記壁材の下端又は前記連結材の外側に、防水シートの上部が取り付けられていることを特徴とする請求項１乃至６のいずれか１に記載の建物ユニット。
【請求項８】
前記壁材の下端又は前記連結材の外側に、前記壁材の表面を流れ落ちる水の屋内側への浸入を防止する水切部が取り付けられていることを特徴とする請求項１乃至７のいずれか１に記載の建物ユニット。
【請求項９】
複数の柱及び隣接する柱の上端部間を連結する上梁を含んで構成された枠体を備えた建物ユニットが複数組み合わされ、
前記各建物ユニットのうち一部の建物ユニットが土間を有して構築されているユニット式建物であって、
前記上梁と略平行に延びるとともに、隣接する柱において前記上梁よりも下方且つ柱の下端部より上方となる位置に連結されてなる連結材が、前記土間の表面より上方に露出するとともに該土間の外周に沿って延びるように設けられており、
上端部が前記上梁に取り付けられるとともに下端部が前記連結材に取り付けられてなる壁材が、前記土間の表面より上方に露出して設けられており、
前記枠体の内側と外側とを仕切る仕切材が、前記連結材の下方に突出して前記土間の表面より下方に配置されるとともに該土間の周囲を囲むように該連結材に取り付けられていることを特徴とするユニット式建物。
【請求項１０】
複数の柱及び隣接する柱の上端部間を連結する上梁を含んで構成された枠体を備えた建物ユニットを工場で構築し、
前記工場で構築された建物ユニットを複数組み合わせて構成されるユニット式建物を建築現場で構築するユニット式建物の施工方法であって、
前記工場にて構築された前記建物ユニットは、前記上梁と略平行に延びるとともに、隣接する柱において前記上梁よりも下方且つ柱の下端部より上方となる位置に連結されてなる連結材と、上端部が前記上梁に取り付けられるとともに下端部が前記連結材に取り付けられてなる壁材と、前記連結材の下方に突出するように該連結材に取り付けられ、前記枠体の内側と外側とを仕切る仕切材と、を有しており、
前記ユニット式建物は、前記連結材が前記土間の表面より上方に露出するとともに該土間の外周に沿って延びるように、且つ前記壁材が前記土間の表面より上方に露出するように、更に前記仕切材の下端が前記土間の表面より下方に配置されるとともに該土間の周囲を囲むように、前記建築現場にて構築されることを特徴とするユニット式建物の施工方法。
【発明の詳細な説明】
【技術分野】
【０００１】
本発明は、建物ユニット、ユニット式建物及びユニット式建物の施工方法に関するものである。
【背景技術】
【０００２】
住宅等の建物には、複数の建物ユニットを互いに連結して構築されるユニット式建物がある。ユニット式建物では、工場で建物ユニットを製作することにより、建築現場において建物の建築作業の簡易化が図られている。建物ユニットには、上梁、下梁、及びそれら上梁と下梁とを連結する柱を含んで構成された枠体と、枠体に取り付けられた壁パネルとを有するものがある。例えば、特許文献１では、壁パネルは、その上端が上梁に固定されるとともに下端が下梁に固定されることで枠体に取り付けられている。
【特許文献１】特開２００６−３５８５８号公報
【発明の開示】
【発明が解決しようとする課題】
【０００３】
しかしながら、建物ユニットに土間が形成されている場合に壁パネルが下梁に固定されていると、建築現場における作業の簡易化を図るといったユニット式建物のメリットが減殺されるおそれがある。例えば、土間を有するガレージがユニット式建物に設けられ、下梁が土間表面より下方に埋め込まれていると、壁パネルの下部は下梁とともに埋め込まれていることになる。この場合、建物ユニットの枠体への壁パネルの取り付け作業が建築現場にて行われることで壁パネルの埋め込みを回避することは可能となるが、その一方で、壁パネルの取り付け作業の分だけ建築現場での作業が増加することになる。
【０００４】
本発明は、上記事情に鑑みなされたものであり、土間を有するユニット式建物の構築に際して建築現場における作業の簡易化を図ることができる建物ユニット、ユニット式建物及びユニット式建物の施工方法を提供することを目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００６】
手段１．複数の柱（柱２１）及び隣接する柱の上端部間を連結する上梁（天井梁２３）を含んで構成された枠体（ガレージユニット２０ａの枠体）を有し、複数組み合わされることでユニット式建物を構築する建物ユニットであって、
前記上梁と略平行に延びるとともに、隣接する柱において前記上梁よりも下方且つ柱の下端部より上方となる位置に連結されてなる連結材（中間梁２４）と、
上端部が前記上梁に取り付けられるとともに下端部が前記連結材に取り付けられてなる壁材（壁体４０）と、
を備えていることを特徴とする建物ユニット。
【０００７】
手段１によれば、上梁と略平行に延びる連結材が、隣接する柱において上梁よりも下方且つ柱の下端部より上方となる位置に連結されている。このため、建物ユニット内に土間が設けられている場合、建物ユニットの下部が土間表面より下方に埋め込まれていても、連結材を土間表面の上方に露出させることが可能となる。
【０００８】
また、上端部が上梁に取り付けられるとともに下端部が連結材に取り付けられている壁材により、建物ユニットの壁が形成されている。この場合、壁材の上下方向の長さを、その下端部が建物ユニットの枠体の下部に届かない長さとしても、壁材が枠体に固定されることになり、建物ユニットの下部が土間表面より下方に埋め込まれていても、連結材を土間表面の上方に露出させることで壁材の埋め込みを回避することができる。したがって、枠体に壁材が取り付けられた壁付き建物ユニットをそのまま設置することが可能となり、土間を有するユニット式建物の構築に際して建築現場における作業の簡易化を図ることができる。
【０００９】
手段２．隣接する柱の下端部間を連結する下梁（床梁２２）が設けられていることを特徴とする手段１に記載の建物ユニット。
【００１０】
手段２によれば、下梁により、隣接する柱の下端部間が連結されている。この場合、建物ユニットの枠体を上梁、下梁及び柱により略直方体に形成することが可能となり、これにより、枠体の強度が高められている。したがって、建築現場における作業の簡易化を図りつつ、工場から建築現場への建物ユニットの搬送時に、建物ユニットの枠体の変形を抑制することができる。
【００１１】
また、建物ユニットの枠体が上梁、下梁及び柱により形成され且つ枠体に壁材が固定されている構成において、手段１に記載したように壁材が柱の下端部に届かない場合は下梁への壁材の固定が困難になり、壁材の下部が固定されていなければ、搬送時に建物ユニットの壁材が変形するなどの不都合が発生するおそれがある。これに対して、下梁の上方に設けられた連結材に壁材の下部が固定されている場合は、前記不都合の発生を抑制することができる。
【００１２】
手段３．前記下梁は、前記建物ユニットが設置される場合に地中に埋設される埋設部であることを特徴とする手段２に記載の建物ユニット。
【００１３】
手段３によれば、建物ユニットが設置される場合に下梁は地中に埋設されるため、建物ユニットに、屋外の地表面と連続した面を有する土間を構築することが可能となる。したがって、建物ユニットに対する人や車両の出入りを容易なものとすることができる。
【００１４】
手段４．前記枠体の内側と外側とを仕切る仕切材（仕切板６１）が、前記連結材の下方に突出するように該連結材に取り付けられていることを特徴とする手段１乃至３のいずれか１に記載の建物ユニット。
【００１５】
手段４によれば、仕切材により、連結材の下方にて建物ユニットの内側と外側とが仕切られているため、その仕切材の内側にコンクリート層が形成されることで建物ユニットに土間が構築されることになる。また、仕切材は連結材に取り付けられているため、単に建物ユニットが設置されるだけで、型枠の組み立てや解体を行うことなくコンクリートの打設を行うことが可能となる。故に、建築現場における土間の構築作業を容易なものとすることができる。
【００１６】
手段５．前記仕切材は、上下方向へ移動可能に前記連結材に取り付けられていることを特徴とする手段４に記載の建物ユニット。
【００１７】
手段５によれば、仕切材は上下方向への移動が可能であるため、構築するコンクリート層の厚さなどに応じて、連結材の下方に対する仕切材の突出度合いを適切に調節することができる。
【００１８】
手段６．前記仕切材は、上方位置で仮止めされていることを特徴とする手段５に記載の建物ユニット。
【００１９】
手段６によれば、仕切材、上方位置で仮止めされているため、その仮止めが解除されると仕切材は自重によって下方へ移動する。したがって、建物ユニットが設置された場合、単に仮止めを解除することで、その突出度合いがコンクリート層の厚さなどに応じたものとなる。これにより、コンクリート打設の準備作業をより一層容易なものとすることができる。なお、仕切材の仮止めは、ネジ等の固定手段により行われると良い。
【００２０】
手段７．前記仕切材は、断熱層を有することを特徴とする手段４乃至６のいずれか１に記載の建物ユニット。
【００２１】
手段７によれば、仕切材が断熱層を有するため、仕切材に型枠の役割を持たせつつ、壁材の下方において建物の断熱性を確保することができる。
【００２２】
手段８．前記壁材の下端又は前記連結材の外側に、防水シート（防水シート４７）の上部が取り付けられていることを特徴とする手段１乃至７のいずれか１に記載の建物ユニット。
【００２３】
手段８によれば、防水シートにより、完成後も工事中においても壁材又は連結材の下方からの建物ユニット内への水の浸入が規制されている。この場合、建物ユニット内に土間が設けられていれば、壁材と土間との境界又は連結材と土間との境界を防水シートにより覆うことが可能となる。したがって、防水シート付きの建物ユニットを工場で製作することで建築現場における作業の簡易化を図りつつ、土間表面からの水の浸入を規制することができる。
【００２４】
手段９．前記壁材の下端又は前記連結材の外側に、前記壁材の表面を流れ落ちる水の屋内側への浸入を防止する水切部（水切部４８）が取り付けられていることを特徴とする手段１乃至８のいずれか１に記載の建物ユニット。
【００２５】
手段９によれば、水切部により、壁材又は連結材の下方において、壁材の表面を流れ落ちる水の屋内側への浸入が規制されている。この場合、建物ユニット内に土間が設けられていれば、壁材と土間との境界又は連結材と土間との境界を水切部により覆うことが可能となる。したがって、水切部付きの建物ユニットを工場で製作することで建築現場における作業の簡易化を図りつつ、土間表面からの水の浸入を規制することができる。また、完成後には、ユニット式建物の遮音性を高めることができる。
【００２６】
手段１０．複数の柱（柱２１）及び隣接する柱の上端部間を連結する上梁（天井梁２３）を含んで構成された枠体（ガレージユニット２０ａの枠体）を備えた建物ユニット（建物ユニット２０、ガレージユニット２０ａ）が複数組み合わされ、
前記各建物ユニットのうち一部の建物ユニットが土間を有して構築されているユニット式建物であって、
前記上梁と略平行に延びるとともに、隣接する柱において前記上梁よりも下方且つ柱の下端部より上方となる位置に連結されてなる連結材（中間梁２４）が、前記土間の表面より上方に露出するとともに該土間の外周に沿って延びるように設けられており、
上端部が前記上梁に取り付けられるとともに下端部が前記連結材に取り付けられてなる壁材（壁体４０）が、前記土間の表面より上方に露出して設けられている、
ことを特徴とするユニット式建物。
【００２７】
手段１０によれば、一部の建物ユニットが土間を有するユニット式建物において、連結材は土間の外周に沿って延びているため、連結材を利用して土間の周囲を囲むことが可能となる。この場合、連結材により囲まれた領域でのコンクリート層の構築を簡易な作業により実現することができる。すなわち、土間の構築作業を簡易なものとすることができる。
【００２８】
また、連結材が土間の表面より上方に露出しており、且つ連結材に取り付けられた壁材の下端部が土間の表面より上方に露出している。この場合、建物ユニットの設置作業が行われる際、枠体に壁材が取り付けられた壁付き建物ユニットをそのまま設置しても、壁材が地中に埋め込まれることが回避される。したがって、土間を有するユニット式建物の構築に際して建築現場における作業の簡易化を図ることができる。
【００２９】
なお、土間の周囲を囲む仕切材が連結材に取り付けられていると、単に建物ユニットを設置することでコンクリートの打設領域を形成することが可能となり、コンクリート層の構築をより一層簡易な作業により実現することができる。すなわち、土間の構築作業をより一層簡易なものとすることができる。
【００３０】
手段１１．複数の柱（柱２１）及び隣接する柱の上端部間を連結する上梁（天井梁２３）を含んで構成された枠体（ガレージユニット２０ａの枠体）を備えた建物ユニット（建物ユニット２０、ガレージユニット２０ａ）を工場で構築し、
前記工場で構築された建物ユニットを複数組み合わせて構成されるユニット式建物（ユニット式建物１０）を建築現場で構築するユニット式建物の施工方法であって、
前記工場にて構築された前記建物ユニットは、前記上梁と略平行に延びるとともに、隣接する柱において前記上梁よりも下方且つ柱の下端部より上方となる位置に連結されてなる連結材（中間梁２４）と、上端部が前記上梁に取り付けられるとともに下端部が前記連結材に取り付けられてなる壁材（壁体４０）とを有しており、
前記ユニット式建物は、前記連結材が前記土間の表面より上方に露出するとともに該土間の外周に沿って延びるように、且つ前記壁材が前記土間の表面より上方に露出するように、前記建築現場にて構築されることを特徴とするユニット式建物の施工方法。
【００３１】
手段１１によれば、ユニット式建物が構築される場合、工場では建物ユニットが構築され、建築現場では建物ユニットが複数組み合わせてユニット式建物が構築される。この場合、建物ユニットにおいて、連結材は、上梁よりも下方且つ柱の下端部より上方となる位置に連結されおり、壁材は、上端部が上梁に取り付けられるとともに下端部が前記連結材に取り付けられている。したがって、建築現場において、建物ユニットの下端部が土間の表面よりも下方となるようにその建物ユニットが設置されても、連結体を土間の表面より上方に露出させることで、壁材の土間への埋め込みを回避することができる。したがって、土間を有するユニットの構築に際して建築現場における作業の簡易化を図ることができる。
【００３２】
また、建築現場において、連結材が土間の外周に沿って延びた状態となるように建物ユニットが設置されることで、連結材を利用して土間の周囲を囲むことが可能となる。この場合、連結材により囲まれた領域でのコンクリート層の構築を簡易な作業により実現することができる。すなわち、土間の構築作業を簡易なものとすることができる。
【００３３】
なお、工場において、土間の周囲を囲む仕切材が連結材に取り付けられていると、単に建物ユニットを設置することでコンクリートの打設領域を形成することが可能となり、コンクリート層の構築をより一層簡易な作業により実現することができる。すなわち、土間の構築作業をより一層簡易なものとすることができる。
【００３４】
ちなみに、壁材が、壁面を形成する壁パネル（外壁パネル４６、内壁パネル５２）と、上梁及び連結材に固定される壁フレーム（外壁フレーム４５、内壁フレーム５１）とにより構成されていると、工場において、ビス等の固定手段を壁面に露出させることなく建物ユニットの枠体に壁材を取り付けることができる。
【発明を実施するための最良の形態】
【００３５】
以下、本発明を具体化した一実施形態を図面に基づいて説明する。本実施形態では、鉄骨ラーメンユニット工法にて構築された２階建てユニット式建物に具体化しており、そのユニット式建物１０の概要を図１に示す。
【００３６】
図１に示すように、ユニット式建物１０は、建物本体１１と、その建物本体１１の上方に配設される屋根１２とにより構成されている。建物本体１１の一階部分には、自動車等の車両１４（図３参照）の入出庫が可能なガレージ１５が設けられている。ガレージ１５は、所謂インナガレージとなっており、建物本体１１と一体的に構築されている。
【００３７】
建物本体１１は、建物ユニット２０が複数結合されることで構築されており、それら建物ユニット２０には、ガレージ１５を構成するガレージユニット２０ａが含まれている。ここで、ユニット式建物１０は、高さ寸法が異なる複数種の建物ユニット２０の組み合わせにより構築されていることがある。建物ユニット２０としては、例えば、標準の高さ寸法（例えば、内部空間の有効高さが２４００ｍｍ）を有する標準ユニットや、標準ユニットよりも大きい高さ寸法（例えば、内部空間の有効高さが２６００ｍｍ）を有するハイユニットなどが用いられる。図１には、一階部分が複数のハイユニットにより構築され、二階部分が複数の標準ユニットにより構築されているユニット式建物１０を図示しており、ガレージユニット２０ａはハイユニットの一種として一階部分に組み込まれている。
【００３８】
次に、ガレージユニット２０ａについて、図２を参照しつつ説明する。図２は、ガレージユニット２０ａにおける骨格（枠体）の構成を示す斜視図である。
【００３９】
図２に示すように、ガレージユニット２０ａでは、その四隅に柱２１が配され、各柱２１の下端部及び上端部がそれぞれ４本の床梁２２、天井梁２３により連結されている。床梁２２及び天井梁２３は互いに略平行に延びている。そして、それら柱２１、床梁２２及び天井梁２３により直方体状の枠体（フレーム）が形成されている。柱２１は四角筒状の鋼鉄材よりなり、床梁２２及び天井梁２３は断面コ字状の鋼鉄製長尺材よりなる。床梁２２及び天井梁２３は、コ字状断面の開口側をガレージユニット２０ａの水平方向の内側に向けて配置されている。また、床梁２２と天井梁２３との間には、隣接する２つの柱２１を連結する中間梁２４が設けられている。中間梁２４は、鋼鉄材により断面略Ｌ字状の長尺状に形成されており、床梁２２及び天井梁と略平行に延びている。
【００４０】
ガレージユニット２０ａの長辺部の相対する床梁２２の間には、所定間隔で複数の床小梁２５が架け渡されている。同じくガレージユニット２０ａの長辺部の相対する天井梁２３の間には、所定間隔で複数の天井小梁２６が架け渡されている。また、天井小梁２６によって天井下地材が支持される。
【００４１】
また、ガレージユニット２０ａには、ガレージ１５の外壁面を構成する外壁部４１が設けられている。外壁部４１は、壁体４０（図４参照）の一部としてガレージユニット２０ａの枠体に取り付けられているが、便宜上、ここでは、外壁部４１を図２に図示するとともに、外壁部４１について説明する。
【００４２】
外壁部４１は、複数の壁パネルにより形成されており、各パネルはビス等の固定手段により枠体に対して固定されるとともに互いに連結されている。この場合、外壁部４１は、その上端部が天井梁２３に固定されているとともにその下端部が中間梁２４に固定されており、その下端部が中間梁２４の下方に突出しないようになっている。なお、外壁部４１は、その両側部が柱２１に固定されていてもよい。
【００４３】
また、建物ユニット２０の一種としてガレージユニット２０ａの構成について説明したが、ガレージユニット２０ａ以外の建物ユニット２０も、ガレージユニット２０ａと同様に、柱２１、床梁２２、天井梁２３、床小梁２５及び天井小梁２６等により枠体が構成されており、枠体に外壁部４１等の壁体４０が取り付けられている。
【００４４】
次いで、ガレージユニット２０ａにおける壁体４０の構成について、図３，図４を参照しつつ説明する。図３は、ガレージ１５周辺の構成を説明するための説明図、図４は、ガレージユニット２０ａにおける屋外側部分の構成を拡大して示す構成図である。なお、便宜上、図３では壁体４０（外壁部４１）の図示を省略している。
【００４５】
図３に示すように、鉄骨により構成されている基礎３１が建物本体１１の下方に複数設けられている。基礎３１は、水平方向に延びるようにして地中に埋め込まれている。なお、基礎３１は、周知の鉄筋コンクリートにより構成されていてもよい。また、基礎３１に加えて、それら基礎３１を連結する地中梁が地中に埋め込まれていてもよい。
【００４６】
基礎３１の上方には、ガレージユニット２０ａが複数設けられており、ガレージユニット２０ａはボルト等の固定手段により基礎３１に固定されている。ガレージユニット２０ａは、その下部が地中に埋め込まれており、ガレージユニット２０ａの床梁２２は、ガレージ床面３５より上方へ露出しないようになっている。ガレージ１５において、床梁２２の上方にはコンクリート層３６が構築されており、ガレージ床面３５はコンクリート層３６の表面により形成されている。ガレージ１５では、コンクリート層３６により土間が形成されていることになる。
【００４７】
なお、ガレージ床面３５は、屋外における地表面ＧＬと同じレベルになっており、ガレージユニット２０ａの下部が地中に埋め込まれているため、床梁２２を切断することなく地表面ＧＬとガレージ床面３５とを連続した面として形成することが可能となっている。ちなみに、一階部分におけるガレージユニット２０ａ以外の建物ユニット２０では、地表面ＧＬより高いレベルに床材等によって床面が形成されている。
【００４８】
中間梁２４は、地表面ＧＬ及びガレージ床面３５の上方に露出しており、図４（ａ）に示すように、中間梁２４及び天井梁２３には壁体４０が取り付けられている。壁体４０は、上下方向の寸法が天井梁２３と中間梁２４との間隔の寸法より若干大きくなっており、その下端が地表面ＧＬ及びガレージ床面３５に届かないようになっている。換言すれば、壁体４０は、その下端が床梁２２に届かないようになっている。また、壁体４０は、左右方向の寸法が、隣接する２つの柱２１の間隔の寸法より小さくなっている。例えば、壁体４０は、ガレージユニット２０ａの一側面に対して左右方向に複数並べて取り付けられている。
【００４９】
壁体４０は、外壁部４１と内壁部４２とを有しており、外壁部４１は、天井梁２３及び中間梁２４のそれぞれの屋外側に配設されている。より詳しくは、外壁部４１は、枠状に形成された外壁フレーム４５と、その外壁フレーム４５の屋外側に固定された外壁パネル４６とにより構成されており、天井梁２３と中間梁２４とに対して外壁フレーム４５がビス止め等されることで、外壁部４１がガレージユニット２０ａにおける枠体の屋外側に固定されている。特に、中間梁２４には、上下方向に延びる板状の垂直部２４ａが形成されており、外壁フレーム４５は垂直部２４ａの屋外側の側面に対して取り付けられている。
【００５０】
なお、外壁フレーム４５は、天井梁２３及び中間梁２４に加えて柱２１に対して固定されていてもよく、天井梁２３と中間梁２４との間に間柱が立設されている構成であればその間柱に対して固定されていてもよい。
【００５１】
外壁部４１の下部において、外壁フレーム４５の屋内側には、防水シート４７が外壁パネル４６の下端に沿って延びるように設けられており、防水シート４７はその上部が中間梁２４の屋外側に固定されている。防水シート４７は、外壁フレーム４５と中間梁２４との間から地中まで延びており、中間梁２４とコンクリート層３６との境界を覆っている。これにより、仮に中間梁２４とコンクリート層３６との間に隙間が形成されていても、その隙間からの雨水等の浸入が抑制されている。なお、防水シート４７は、中間梁２４ではなく外壁フレーム４５など壁体４０の下端に取り付けられていてもよい。
【００５２】
また、外壁部４１の下部において、外壁フレーム４５の屋外側には、水切部４８が外壁パネル４６の下端に沿って伸びるように設けられており、水切部４８はその上部が外壁フレーム４５に固定されている。水切部４８は、外壁パネル４６の表面を流れ落ちる水がそのまま地表に落ちるように取り付けられている。これにより、仮に壁体４０とコンクリート層３６との間に隙間が形成されていても、その隙間からの雨水等の浸入が抑制されている。なお、水切部４８は、外壁フレーム４５ではなく中間梁２４の屋外側に取り付けられていてもよい。
【００５３】
一方、内壁部４２は、天井梁２３及び中間梁２４のそれぞれの屋内側に配設されている。より詳しくは、内壁部４２は、枠状に形成された内壁フレーム５１と、その内壁フレーム５１の屋内側に固定された内壁パネル５２とにより構成されており、天井梁２３と中間梁２４とに対して内壁フレーム５１がビス止め等されることで、内壁部４２がガレージユニット２０ａにおける枠体の屋内側に固定されている。特に、中間梁２４には、垂直部２４ａの上端部から左右方向に延びる板状の水平部２４ｂが形成されており、内壁フレーム５１は水平部２４ｂの上面に対して取り付けられている。
【００５４】
なお、内壁フレーム５１は、天井梁２３及び中間梁２４に加えて柱２１に対して固定されていてもよく、天井梁２３と中間梁２４との間に間柱が立設されている構成であればその間柱に対して固定されていてもよい。
【００５５】
内壁フレーム５１の下部において、内壁フレーム５１の屋内側には下部パネル５３が内壁パネル５２の下端に沿って延びるように設けられている。下部パネル５３により、内壁パネル５２とガレージ床面３５との隙間が埋められており、壁体４０の内部に埃等が入り込まないようになっている。
【００５６】
壁体４０において、外壁部４１と内壁部４２との間には、外壁パネル４６及び内壁パネル５２の各板面に沿って断熱材５５が配設されている。断熱材５５は、防湿気密性を有するポリエチレンフィルム等を袋状に形成した防湿気密性袋５６の中にグラスウール等の繊維系断熱材５７を充填したものである。
【００５７】
また、中間梁２４には、壁体４０の下方にて屋外側と屋内側とを仕切る仕切板６１が取り付けられている。仕切板６１は、発泡系樹脂を用いた発泡系断熱材などにより板状に形成されている。仕切板６１は、中間梁２４に沿って延びており、その横方向の長さはガレージ１５の側面の長さと略同等となっている。また、仕切板６１は、その高さ寸法がコンクリート層３６の高さ寸法より大きくなっており、少なくともその上部が中間梁２４の垂直部２４ａと重なっている。仕切板６１は、コンクリート層３６の外周を囲むようにして、ガレージユニット２０ａにおける他の側面に設けられている。したがって、コンクリート層３６の構築時には、型枠を組み立てることなくコンクリートの打設を行うことができるとともに、コンクリート層３６が形成された後に型枠を解体する必要がない。したがって、コンクリート層３６の構築が容易となる。但し、仕切板６１は、コンクリート打設時におけるそのコンクリートの圧力に耐え得る強度を有するように構成されている。
【００５８】
さらに、仕切板６１は、中間梁２４に対して上下方向への移動が可能になっており、中間梁２４から下方への突出寸法を、構築するコンクリート層３６の高さ寸法に応じて調節することができる。図４（ｂ）に示すように、中間梁２４の垂直部２４ａには、屋内側に突出する突出部６５が形成され、仕切板６１には、突出部６５を屋内側に挿通させる縦長状の貫通孔６２が複数形成されている。この場合、貫通孔６２の横方向の内径は突出部６５の外形より大きくなっており、仕切板６１は上方位置でネジ等の固定手段により仮止めされている。したがって、突出部６５を貫通孔６２内にて上下方向に移動可能としつつ、仮止めが解除されることで仕切板６１はその自重によって下方位置へ移動するようになっている。
【００５９】
突出部６５には、その先端部に引掛部６６が形成されており、貫通孔６２から突出部６５が抜けないようになっている。したがって、構築するコンクリート層３６の高さ寸法に応じて仕切板６１の突出寸法を調節しつつ、コンクリートの打設時において中間梁２４からの仕切板６１の離脱が規制されている。これにより、仕切板６１は型枠の役割を果たすことが可能となる。
【００６０】
ここで、ユニット式建物１０の構築工程の概略について、図５を参照しつつ説明する。
【００６１】
図５において、（１）のように、ガレージユニット２０ａ等の建物ユニット２０が工場７１で製作される。工場７１では、下部が地中に埋め込まれるガレージユニット２０ａに対しても壁体４０が取り付けられる。そして、（２）のように、工場７１で製作されたガレージユニット２０ａは、トラック７２等の搬送手段により建築現場に搬送される。
【００６２】
一方、建築現場では、ガレージユニット２０ａが搬送されるまでに、（３）のように、掘削作業が行われるとともに基礎３１の設置作業が行われる。基礎３１が設置された後、（４）のように、工場７１から搬送されたガレージユニット２０ａの設置作業が行われるとともに、その他の建物ユニット２０の設置作業等が行われることで、建物本体１１が構築される。そして、（５）のように、埋め戻し作業が行われることで、基礎３１やガレージユニット２０ａの下部が地中に埋め込まれるとともに、ユニット式建物１０の周辺における地表面ＧＬが形成される。また、埋め戻し作業が行われた後、コンクリートの打設作業が行われることで、コンクリート層３６が構築されてガレージ床面３５が形成される。その後、屋根１２の設置作業等が行われることで、（６）のように、ユニット式建物１０が完成する。
【００６３】
以上詳述した本実施形態によれば、以下の優れた効果が得られる。
【００６４】
壁体４０は、その上端部が天井梁２３に固定されているとともにその下端部が中間梁２４に固定されているため、ガレージユニット２０ａの床梁２２が地中に埋め込まれている状態でも、壁体４０の下部が地中に埋め込まれることが回避される。したがって、工場７１にて壁体４０が取り付けられた状態のガレージユニット２０ａを、下部を埋め込む状態でそのまま設置することができる。この場合、壁体４０の埋め込みを回避するために壁体４０が建築現場にてガレージユニット２０ａに取り付けられる構成に比べて、ガレージユニット２０ａの設置作業を容易なものとすることができる。故に、ガレージ床面３５（土間）を有するガレージユニット２０ａを含むユニット式建物１０の構築に際して、建築現場における作業の簡易化を図ることができる。
【００６５】
隣接する柱２１に対して、上端部間が天井梁２３により連結されているとともに下端部間が床梁２２により連結されているため、ガレージユニット２０ａの枠体が直方体状に形成されており、ガレージユニット２０ａの強度が高められている。例えば、床梁２２が設けられていない場合、天井梁２３及び中間梁２４により壁体４０の保持を行うことができるが、搬送時等に、柱２１が中間梁２４の下方にて変形したりガレージユニット２０ａの枠体が歪んだりするおそれがある。これに対して、本実施形態では、床梁２２を含めてガレージユニット２０ａの強度が高められているため、搬送時等におけるガレージユニット２０ａの変形や歪みを抑制することができる。
【００６６】
中間梁２４に壁体４０の下部が固定されているため、壁体４０の下端が床梁２２に届かない状態であっても、壁体４０をその上下両端部にてガレージユニット２０ａの枠体に強固に固定することが可能となる。したがって、搬送時等に、前記枠体から壁体４０が離脱したり、壁体４０が変形したりするといった不都合の発生を抑制することができる。
【００６７】
ガレージユニット２０ａの下部が地中に埋め込まれていることで、床梁２２が地表面ＧＬから上方へ露出しないようになっているため、地表面ＧＬとガレージ床面３５とを同じレベルとしつつ、突出した床梁２２を車両１４に乗り越えさせる必要がない。したがって、ガレージ１５内外に対するレベル調節を不要としつつ、ガレージ１５に対して車両１４を容易に入庫させることが可能となる。また、例えば、ガレージユニット２０ａの下部が地中に埋め込まれずに、床梁２２の一部が切断及び除去されることで地表面ＧＬとガレージ床面３５とが連続した面とされている場合は、床梁２２の一部の切断及び除去に起因してガレージユニット２０ａの強度が低下するおそれがある。さらに、この場合、搬送時にガレージユニット２０ａの枠体が変形し易くなるおそれがある。これらに対して、ガレージユニット２０ａの下部が地中に埋め込まれている場合は、ガレージユニット２０ａの強度低下を抑制しつつ、ガレージ１５に対する車両１４の入出庫を容易に行わせることができる。
【００６８】
コンクリート層３６は仕切板６１により囲まれているため、型枠の組み立て及び解体を行うことなくコンクリート層３６を構築することができる。また、仕切板６１は、中間梁２４に対して上下方向への移動が可能になっているため、コンクリート層３６の厚さや、中間梁２４とガレージユニット２０ａの設置面との間隔に応じて、中間梁２４からの仕切板６１の突出寸法を調節することができる。さらに、仕切板６１はその自重によって下方への移動が可能となっているため、単にガレージユニット２０ａを設置するだけで、仕切板６１が前記設置面に当接するまで下方に移動することになる。したがって、作業者等は、仕切板６１の突出寸法を調節することなく、コンクリートの打設作業を行うことが可能となる。以上の結果、ガレージ床面３５を容易に形成することが可能となる。
【００６９】
仕切板６１は、発泡系樹脂を用いた発泡系断熱材などにより板状に形成されているため、壁体４０に加えてその壁体４０の下方においても、ユニット式建物１０の断熱性を確保することができる。
【００７０】
防水シート４７の上部が中間梁２４の屋外側に固定されているため、中間梁２４とコンクリート層３６との間からの水の浸入が抑制されている。この場合、防水シート４７付きのガレージユニット２０ａを工場７１で製作することで建築現場における作業の簡易化を図りつつ、ガレージ床面３５上への水の浸入を規制することができる。
【００７１】
また、水切部４８の上部が外壁部４１の下部に固定されているため、壁体４０とコンクリート層３６との間からの水の浸入が抑制されている。この場合、水切部４８付きのガレージユニット２０ａを工場７１で製作することで建築現場における作業の簡易化を図りつつ、ガレージ床面３５上への水の浸入を規制することができる。
【００７２】
（他の実施形態）
本発明は上記実施形態の記載内容に限定されず、例えば次のように実施してもよい。
【００７３】
・上記実施形態では、隣接する柱２１の下端部を連結する床梁２２が設けられていたが、床梁２２は設けられていなくてもよい。この場合でも、中間梁２４やその中間梁２４と柱２１との接続部分などに強度を持たせることでガレージユニット２０ａの強度低下を抑制することが可能となる。
【００７４】
・上記実施形態では、中間梁２４が鋼鉄材により形成されているが、ポリカーボネート等の合成樹脂により形成されていてもよい。要は、ガレージユニット２０ａの枠体に対して壁体４０の下部を固定することができればよい。
【００７５】
・上記実施形態では、中間梁２４が断面略Ｌ字状に形成されているが、中間梁２４は隣接する柱２１の連結が可能であれば形状は断面略Ｌ字状でなくてもよい。
【００７６】
・上記実施形態では、仕切板６１が断熱材により形成されているが、仕切板６１は鋼鉄材により形成されていてもよく、合成樹脂により形成されていてもよい。要は、仕切板６１が、コンクリート打設時におけるそのコンクリートの圧力に耐え得る強度を有していればよい。
【００７７】
・上記実施形態では、中間梁２４の突出部６５が仕切板６１の貫通孔６２内を上下方向に移動可能な構成としたが、中間梁２４に対して仕切板６１が上下方向に移動可能な構成であればこれに限らない。例えば、突出部６５が仕切板６１に形成されるとともに、貫通孔６２が中間梁２４の垂直部２４に形成されていてもよい。この場合でも、構築するコンクリート層３６の厚さ等に応じて、仕切板６１の突出寸法を調節することが可能となる。
【００７８】
・上記実施形態では、仕切板６１を、中間梁２４に対して上下方向への移動が可能な構成としたが、中間梁２４に対して移動不可に固定されている構成としてもよい。この場合でも、構築するコンクリート層３６の厚さ等に合わせて、ガレージユニット２０ａの設置面と仕切板６１との隙間を型枠等により埋めることで、コンクリートの打設を行うことが可能となる。
【００７９】
・上記実施形態では、下階（１階）部分の建物ユニット２０の下部を全て地中に埋める場合について説明したが、ガレージユニット２０ａ以外の居室部分を形成する建物ユニット２０については地表面ＧＬから立ち上がるように形成された基礎の上に設置するようにしてもよい。
【００８０】
・上記実施形態では、建築現場における作業の簡易化が図られる構成を、土間を有する建物ユニット２０としてガレージユニット２０ａに適用した構成について説明したが、例えば、土間を有する店舗や事務所などのユニット式建物に適用してもよい。
【図面の簡単な説明】
【００８１】
【図１】ユニット式建物の概要を示す図。
【図２】ガレージユニットの構成を示す斜視図。
【図３】ガレージ周辺の構成を説明するための説明図。
【図４】ガレージユニットに置ける屋外側部分の構成と拡大して示す構成図。
【図５】ユニット式建物の構築工程の概略を示す図。
【符号の説明】
【００８２】
１０…ユニット式建物、２０…建物ユニット、２０ａ…ガレージユニット、２１…柱、２２…床梁、２３…天井梁、２４…中間梁、４０…壁体、４５…外壁フレーム、４６…外壁パネル、４７…防水シート、４８…水切部、５１…内壁フレーム、５２…内壁パネル、６１…仕切板、６２…貫通孔、６５突出部、ＧＬ…地表面。
【図１】
0005102578.tif 000002
【図２】
0005102578.tif 000003
【図３】
0005102578.tif 000004
【図４】
0005102578.tif 000005
【図５】
0005102578.tif 000006